(57)【要約】      （修正有）【課題】レインカバーを備え、容易かつ、外れにくく取り付けることができるリュックサックを提供する。【解決手段】背当部材２１、表面部材２２、および底部材２３を備えたリュックサック本体２０の内部に仕切り部材２６を配置して、荷物を収納する荷物収納部２４、レインカバー収納部２５を形成する。リュックサック本体２０の上端部に、リュックサック本体の背当部材側に折り曲げ可能な取手部５０を備え、レインカバー収納部２５をレインカバー収納部２５の内側で部材２６に縫い合わせておき、取手部５０に面ファスナーのフック部材を、レインカバー４０に面ファスナーのループ部材を配置して、レインカバー４０をレインカバー収納部２５から取り出してリュックサック本体２０にかぶせた状態で、レインカバー４０を取手部５０に着脱自在に接合可能とした。【選択図】図２
0003181228.tif 000002
【実用新案登録請求の範囲】
【請求項１】
背当部材、表面部材、および底部材を備え、内部に荷物を収納する荷物収納部を形成したリュックサック本体と、
前記リュックサック本体を覆うレインカバーと、を備え、
前記リュックサック本体の荷物収納部の下側に、前記レインカバーを折りたたんだ状態で収納可能なレインカバー収納部を形成し、
前記レインカバー収納部を形成した前記リュックサック本体に前記レインカバーを取り出し可能な開口を形成したリュックサックにおいて、
前記リュックサック本体の上端部に、前記リュックサック本体の背当部材側に折り曲げ可能な取手部を備え、
前記レインカバーの一部を前記レインカバー収納部の内側で結合し、
前記取手部と、前記レインカバーとに、前記レインカバーを前記レインカバー収納部から取り出して前記リュックサック本体にかぶせた状態で、前記レインカバーが前記取手部に着脱自在に接合可能とする接合部材をそれぞれ配置した、
ことを特徴とするリュックサック。
【請求項２】
前記取手部に隣接して、前記取手部に配置した接合部材を覆うカバー部材を配置するとともに、前記カバー部材に前記取手部に設置した接合部材に対応する接合部材を備えたことを特徴とする請求項１に記載のリュックサック。
【請求項３】
前記接合部材は、面ファスナーであることを特徴とする請求項１または請求項２に記載のリュックサック。
【請求項４】
前記レインカバー収納部の前記開口は、前記底部材の幅方向にスリットとして形成し、前記開口を開閉する線ファスナーを配置したことを特徴とする請求項１から請求項３のいずれか一項に記載のリュックサック。
【請求項５】
前記リュックサック本体内を上下に仕切る仕切り部材を配置して、前記荷物収納部の下側に前記レインカバー収納部を形成したことを特徴とする請求項１から請求項４のいずれか一項に記載のリュックサック。
【請求項６】
前記レインカバーは、前記レインカバー収納部の内側において、前記リュックサック本体の幅方向に沿って前記仕切り部材に縫い付けられて結合されていることを特徴とする請求項５に記載のリュックサック。
【考案の詳細な説明】
【技術分野】
【０００１】
本考案はレインカバーを備えたリュックサックに関する。
【背景技術】
【０００２】
リュックサックを雨天時等に使用するとき、リュックサックのぬれを防止するため、リュックサックを覆うレインカバーを使用すると有効である。このレインカバーは、背板を除くリュックサック本体を覆うことができるように袋状になっており、開口部の縁部には、レインカバーがリュックサック本体から外れないようにするため、弾力性があるゴムひもが設けられている。
【０００３】
また、リュックサックとして、常時はレインカバーをリュックサック本体に形成した袋状のレインカバー収納部に収納しておき、必要に応じてレインカバー収納部からレインカバーを取り出し、リュックサック本体を覆うようにしたものがある。
【０００４】
特許文献１は、荷物を収納する本体の底部に形成した収納部に本体を覆うことができるレインカバーを収納したリュックサックにおいて、前記レインカバーの上端に設けられた伸縮性を有する帯体と、前記本体に取り付けられた背負い帯に設けられた被嵌合部材と、前記帯体に設けられ、前記被嵌合部材に嵌合する嵌合部材とを具備したものを開示する。
【０００５】
また、特許文献２は、リュックサック本体の底面部位に、背板の下辺に沿う開口部を有したポケットを設け、上記ポケット内には、リュックサック本体を、その背板を残して包む防水カバーを収納し、上記防水カバーの端部の一部を、ポケット内の上記開口部の内側に縫い付けてあるリュックサックを開示する。
【０００６】
【特許文献１】特許第４５５４０６９号公報
【特許文献２】登録実用新案第３０６２３２３号公報
【考案の開示】
【考案が解決しようとする課題】
【０００７】
しかし、従来のリュックサックでは、リュックサック本体にレインカバーをかぶせたとき、レインカバーの周囲を弾力性があるゴムひも等で絞ってはいるものの、リュックサック本体の上部から外れやすいという問題がある。
【０００８】
本考案は上述した課題にかんがみてなされたものであり、レインカバーを内蔵し、容易に、かつ外れにくく取り付けることができるリュックサックを提供することを目的とする。
【課題を解決するための手段】
【０００９】
前記課題を解決する請求項１に記載の考案は、背当部材、表面部材、および底部材を備え、内部に荷物を収納する荷物収納部を形成したリュックサック本体と、前記リュックサック本体を覆うレインカバーと、を備え、前記リュックサック本体の荷物収納部の下側に、前記レインカバーを折りたたんだ状態で収納可能なレインカバー収納部を形成し、前記レインカバー収納部を形成した前記リュックサック本体に前記レインカバーを取り出し可能な開口を形成したリュックサックにおいて、前記リュックサック本体の上端部に、前記リュックサック本体の背当部材側に折り曲げ可能な取手部を備え、前記レインカバーの一部を前記レインカバー収納部の内側で結合し、前記取手部と、前記レインカバーとに、前記レインカバーを前記レインカバー収納部から取り出して前記リュックサック本体にかぶせた状態で、前記レインカバーが前記取手部に着脱自在に接合可能とする接合部材をそれぞれ配置した、ことを特徴とするリュックサックである。
本考案によれば、レインカバーをリュックサック本体にかぶせた状態で、レインカバーの上部をリュックサック本体の背板部材側に折り曲げた取手部と接合できるので、レインカバーと取手部とを容易に接合でき、レインカバーが外れてしまうことを防止することができる。
【００１０】
同じく請求項２に記載の考案は、請求項１に記載のリュックサックにおいて、前記取手部に隣接して、前記取手部に配置した接合部材を覆うカバー部材を配置するとともに、前記カバー部材に前記取手部に設置した接合部材に対応する接合部材を備えたことを特徴とする。
本考案によれば、レインカバーをレインカバー収納部に収納した状態で、取手部の接合部材をカバー部材で覆うことができるので、接合部材にごみが付着するのを防止できる他、手指が接合部材に接触するのを防止することができる。
【００１１】
請求項３に記載の考案は、請求項１または請求項２に記載のリュックサックにおいて、前記接合部材は、面ファスナーであることを特徴とする。
本考案によれば、レインカバーの上部を取手部に接合するときには、レインカバーと取手部に配置された面ファスナーを接触させるだけでよく、また、レインカバーを取手部から取り外すときは面ファスナーを離せばよい。このため、レインカバーと取手部とを簡単な操作で着脱することができる。
【００１２】
同じく請求項４に記載の考案は、請求項１から請求項３のいずれか一項に記載のリュックサックにおいて、前記レインカバー収納部の前記開口は、前記底部材の幅方向にスリットとして形成し、前記開口を開閉する線ファスナーを配置したことを特徴とする。
本考案によれば、レインカバーを使用しないときには、レインカバー収納部にレインカバーを格納した状態で開口を線ファスナーで閉じておき、必要に応じて線ファスナーを開いてレインカバーをレインカバー収納部から取り出すことができる。
【００１３】
同じく請求項５に記載の考案は、請求項１から請求項４のいずれか一項に記載のリュックサックにおいて、前記リュックサック本体内を上下に仕切る仕切り部材を配置して、前記荷物収納部の下側に前記レインカバー収納部を形成したことを特徴とする。
本考案によれば、リュックサック本体内に仕切り部材を配置するだけの簡単な処理でレインカバー収納部をリュックサック本体内の荷物収納部の下側に形成することができる。
【００１４】
同じく請求項６に記載の考案は、請求項５に記載のリュックサックにおいて、前記レインカバーは、前記レインカバー収納部の内側において、前記リュックサック本体の幅方向に沿って前記仕切り部材に縫い付けられて結合されていることを特徴とする。
本考案によれば、レインカバーがリュックサックから分離することがないため、レインカバーをリュックサックに常時装備することができる。また、レインカバーは線ファスナーに沿って縫い付けられているので、レインカバー収納部から取り出すとき、レインカバーを幅方向に広げた状態となっているので、レインカバーをリュックサック本体に容易に装着できる。
【考案の効果】
【００１５】
本考案に係るリュックサックによれば、リュックサックにレインカバーを容易に、しかも外れにくく取り付けることができる。
【図面の簡単な説明】
【００１６】
【図１】本考案の実施形態に係るリュックサックにおいて、レインカバー収納部からレインカバーを引き出した状態を背当部材側から見た斜視図である。
【図２】同リュックサックのリュックサック本体を示すものであり、（ａ）はレインカバーを収納した状態を示す図１中のＡ−Ａ線に相当する断面図、（ｂ）はレインカバーをリュックサック本体にかぶせた状態を示す図１中のＡ−Ａ線に相当する断面図である。
【図３】同リュックサックにおいて、レインカバー収納部にレインカバーを収納した状態を底部材側から見た斜視図である。
【図４】同リュックサックの取手部を示す斜視図である。
【図５】同リュックサックのレインカバーの仕切り部材への取り付け状態を示すものであり、（ａ）はレインカバーを収納した状態を示す図３中のＢ−Ｂ線に相当する断面図、（ｂ）はレインカバーを引き出した状態を示す図３中のＡ−Ａ線に相当する断面図である。
【図６】同リュックサックにおいてレインカバーをリュックサック本体にかぶせた状態を示す斜視図である。
【考案を実施するための最良の形態】
【００１７】
以下、本考案を実施するための形態（以下では単に実施形態と記載する）に係るリュックサックについて説明する。
【００１８】
図１は本考案の実施形態に係るリュックサックにおいて、レインカバー収納部からレインカバーを引き出した状態を背板側から見た斜視図、図２は同リュックサックのリュックサック本体を示すものであり、（ａ）はレインカバーを収納した状態を示す図１中のＡ−Ａ線に相当する断面図、（ｂ）はレインカバーをリュックサック本体にかぶせた状態を示す図１中のＡ−Ａ線に相当する断面図である。また、図３は同リュックサックにおいて、レインカバー収納部にレインカバーを収納した状態を底面側から見た斜視図、図４は同リュックサックの取手部を示す斜視図である。
【００１９】
本考案の実施形態に係るリュックサック１０は、図１に示すように、リュックサック本体２０と、ショルダーベルト３０と、リュックサック本体２０の下部に取り付けられたレインカバー４０と、リュックサック本体２０の上端部に取り付けられた取手部５０とを備えて構成されている。
【００２０】
リュックサック本体２０は、図１および図２（ａ）、（ｂ）に示すように、背当てパッド（図示していない）を配置した例えば合成繊維性布製の背当部材２１と、同じく合成繊維布製の表面部材２２と、例えば合成皮革製の底部材２３とを備え、これらの間に荷物を収納する荷物収納部２４と、レインカバー４０を収納するレインカバー収納部２５とを形成している。レインカバー収納部２５は、荷物収納部２４の下側に形成され、荷物収納部２４とレインカバー収納部２５との間には例えば合成繊維布製の仕切り部材２６が配置されている。仕切り部材２６は、リュックサック本体２０内において荷物収納部２４とレインカバー収納部２５とを区切っている。
【００２１】
レインカバー収納部２５には、図２（ａ）に示すように、レインカバー４０を折りたたんだ状態で収納できる。このレインカバー収納部２５にレインカバー４０を出し入れするため、底部材２３には、線ファスナー７０で開閉可能にした開口２７が開設されている。線ファスナー７０を開状態とすることにより、図２（ｂ）に示すように、レインカバー収納部２５内に収納されたレインカバー４０を開口２７から引き出してリュックサック本体２０をレインカバー４０で覆うことができる。
【００２２】
開口２７は、図３に示すように、スリット状であり、底部材２３の背当部材２１側に、底部材２３と背当部材２１との境界線２８に沿ってリュックサック本体２０の幅方向に形成されている。線ファスナー７０は、開口２７を形成する底部材２３の両側に配置されている。線ファスナー７０は、互いにかみ合うエレメントを備えた２列のテープ部材７１ａ、７１ｂと、このテープ部材７１ａ、７１ｂのエレメントにかみ合って移動でき、エレメントのかみ合わせ、離間を行わせるスライダー７２とから構成する。なお、テープ部材７１ａ、７１ｂは、エレメントがみ合い開口を閉じた状態を符号７１で示している。
【００２３】
ショルダーベルト３０は、背当部材２１の上部に連結されたパッド部３１と、このパッド部３１と背当部材２１の側部とを連結するベルト部材３３と、ベルト部材３３の長さを調整する長さ調整部材３２とを備える。
【００２４】
レインカバー４０は、リュックサック本体２０の背当部材２１を除く部分を覆うことができる防水性を備えたカバー部４１を備えている。カバー部４１の周縁には弾性を備えた例えばゴム性の帯部材４２を配置している。このため、レインカバー４０をかぶせた状態で、レインカバー４０の周縁を全体的に収縮させ、レインカバー４０をリュックサック本体２０に確実に取り付けることができる。なお、カバー部４１は、防水性のある合成繊維製の布、例えばポリアミド合成繊維製の布で構成することができる。
【００２５】
また、レインカバー４０には、レインカバー４０をリュックサック本体２０にかぶせた状態での上端位置に面ファスナー６０を構成する一方の部材、例えばループを密集させて配置したループ部材６１を配置している。
【００２６】
取手部５０は、図４に示すように、全体をＵ字状に曲げ、その両接合部５２、５２をリュックサック本体２０の上部に取り付けて手掛け用の空間部５４を形成した帯状部材５１で構成されている。接合部５２、５２の表面部材２２側の面には、上述したレインカバー４０に取り付けたループ部材６１に接合して面ファスナー６０を構成するフック部材６２、６２が取り付けられている。このフック部材６２はループ部材６１に形成された多数のループに引っかかる多数のフックを密生させた部材である。
【００２７】
図２（ｂ）に示すように、レインカバー４０でリュックサック本体２０を覆った状態で、レインカバー４０の端部に配置したループ部材６１をこのフック部材６２に接触させることにより、カバー部４１の上部をリュックサック本体２０の上部に接合することができる。これにより、レインカバー４０がリュックサック本体２０から外れるのを有効に防止できる。
【００２８】
また、リュックサック本体２０の上部には、取手部５０の帯状部材５１に隣接して図４に示すように、接合部５２、５２に配置したフック部材６２、６２に付着する第２のループ部材６３、６３を取り付けたカバー部材５３、５３を配置している。レインカバー４０を使用していないとき、取手部５０の接合部５２、５２にカバー部材５３、５３を押し付け、フック部材６２、６２と、第２のループ部材６３、６３とを密着して、接合部５２、５２をカバー部材５３、５３で覆った状態とすることができる。これにより、フック部材６２、６２を露出させることがなくなり、ごみが付着するのを防止できる他、手指がフック部材６２、６２に接触するのを防止することができる。
【００２９】
次にレインカバー４０とリュックサック本体２０との取り付け状態について説明する。図５は同リュックサックのレインカバーの仕切り部材への取り付け状態を示すものであり、（ａ）はレインカバーを収納した状態を示す図３中のＢ−Ｂ線に相当する断面図、（ｂ）はレインカバーを引き出した状態を示す図３中のＢ−Ｂ線に相当する断面図である。実施形態に係るリュックサック１０では、レインカバー４０は、レインカバー収納部２５内において、仕切り部材２６の背当部材２１の近くに、線ファスナー７０に沿って糸で縫い付けられて接合されている。レインカバー４０の仕切り部材２６への接合部を図５中符号４３で示した。
【００３０】
このため、レインカバー４０をレインカバー収納部２５から取り出すとき、レインカバー収納部２５が幅方向に広げた状態で取り出せるので、レインカバーをリュックサック本体に容易に装着できる。
【００３１】
実施形態に係るリュックサック１０において、レインカバー４０をリュックサック本体２０にかぶせるには、まず開口２７の線ファスナー７０のスライダー７２を操作してテープ部材７１ａ、７１ｂを離間させ、開口２７を開く。そして、レインカバー４０を開口２７から引き出し、カバー部４１でリュックサック本体２０を覆う。また、取手部５０において、接合部５２、５２からカバー部材５３を取り外す。このとき、フック部材６２、６２から第２のループ部材６３、６３をはがす。
【００３２】
そして、カバー部４１の端部に取り付けたループ部材６１を取手部５０に配置したフック部材６２、６２に密着させる。これにより、図６に示すように、リュックサック本体２０の背当部材２１を除く部分がレインカバー４０で覆われた状態となり、帯状部材５１の上部が取手部５０に接合されるとともに、帯状部材５１の周囲がリュックサック本体２０を覆った状態で絞られる。このため、レインカバー４０をリュックサック本体２０に確実に取り付けることができる。
【００３３】
また、レインカバー４０をレインカバー収納部２５内に収納するときには、レインカバー４０を折りたたみ、開口２７からレインカバー収納部２５内に収納して、線ファスナー７０を閉じた状態とする。そして、フック部材６２、６２と第２のループ部材６３、６３とを接合して接合部５２、５２をカバー部材５３、５３で覆う。
【００３４】
なお、上述した実施形態において、面ファスナーとしてループ部材とフック部材とを使用した場合について説明したが、面ファスナーとして他の構成を備えるものを使用できる。また、面ファスナーとして使用したループ部材とフック部材は、その取り付け関係を逆にすることができる。
【００３５】
以上説明したように、本考案に係るリュックサックによれば、リュックサックにレインカバーを容易に、しかも外れにくく取り付けることができる。
【符号の説明】
【００３６】
１０：リュックサック
２０：リュックサック本体
２１：背当部材
２２：表面部材
２３：底部材
２４：荷物収納部
２５：レインカバー収納部
２６：部材
２７：開口
２８：境界線
３０：ショルダーベルト
３１：パッド部
３２：長さ調整部材
３３：ベルト部材
４０：レインカバー
４１：カバー部
４２：帯部材
４３：接合部
５０：取手部
５１：帯状部材
５２、５２：接合部
５３、５３：カバー部材
５４：空間部
６０：面ファスナー
６１：ループ部材
６２、６２：フック部材
６３、６３：第２のループ部材
７０：線ファスナー
７１ａ、７１ｂ：テープ部材
７２：スライダー
【図１】
0003181228.tif 000003
【図２】
0003181228.tif 000004
【図３】
0003181228.tif 000005
【図４】
0003181228.tif 000006
【図５】
0003181228.tif 000007
【図６】
0003181228.tif 000008